【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
特に広告目的用に情報媒体を展示するための装置であって、
前記装置が情報伝達装置を収容するためのチャンバを有し、かつ、前記装置の内部空間を覗くことを可能にする方法で構築され、
前記チャンバ内に少なくとも１つの透明板が、見る方向に関して横断するように、前記チャンバの壁に取り付けられ、
前記情報伝達装置がこの板に直接または前記透明板に取り付けられた支持装置を介して位置付けられ、
前記チャンバの壁の少なくとも一部が、前記透明板に接触する前記チャンバの壁の接触ストリップに平行なストリップを含む装置であって、
前記情報伝達装置または／およびその支持装置が、少なくとも２つの物体によって形成され、前記物体は前記透明板の２つの対抗面に互いに配置付けられ、かつ前記透明板と垂直な方向から見た投影が同一であるかまたは実質的に同一であることを特徴とする装置。
【請求項２】
前記チャンバの（複数の）開口部と前記透明板との間の距離が、前記物体の間で一致する前記透明板の部分を覆うことを確実にするように選択されていることを特徴とする、請求項１に記載の装置。
【請求項３】
前記情報伝達装置を形成する物体が、前記透明板の２つの側面上、またはピンもしくは旋回軸に固定された側面からある距離を置いて取り付けられており、その後者に基づくか、または後者を用いて配置されている所与の場合、それらが前記物体に組み込まれたモーターで回転できることを特徴とする、請求項１または請求項２に記載の装置。
【請求項４】
チャンバの壁が２つの側壁、上面および底面から形成され、かつ、前記側壁および前記上面の中央部分が不透明材料から作られており、他方、透明材料で作られた側壁部分および上面部分が、これらの中央の側壁部分および２つの側面上の中央の上面部分に取り付けられていることを特徴とする、請求項１または請求項２に記載の装置。
【請求項５】
透明材料で作られた側面部分および上面部分がプラスチックまたは表面フライス削りによって光沢を消されたガラス板で作られていることを特徴とする、請求項４に記載の装置。
【請求項６】
前記チャンバが円筒形であって、その壁が輪状で、少なくともその内側面に沿って透明材料から作られていて、かつ、光源がこの壁に組み込まれていることを特徴とする、請求項１〜請求項３のいずれか１項に記載の装置。
【請求項７】
−前記チャンバが、少なくとも部分的に透明なプリズム状のまたは円柱状の側壁を有しかつ不透明な上面および底面を有し、
−前記透明板が前記チャンバ内に対角線上に、または直径の方向に組み込まれており、
−少なくとも前記チャンバの前記底面上および前記上面上に、ならびに所与の場合は、前記側壁内または前記側壁上にも、前記透明板の前記接触ストリップの両側に沿って、供与されたストリップがそれに平行して走っていることを特徴とする、請求項１〜請求項３のいずれか１項に記載の装置。
【請求項８】
−前記チャンバの前記壁が、互いに垂直な４つの側壁、不透明材料で作られた上面および同じ材料で作られた底面から形成され、かつ、４つの側壁のうちの少なくとも２つが透明材料から作られており、
−前記透明板が、その下縁部が前記底面に取り付けられて、その上縁部が前記上面に取り付けられるように、前記チャンバに対角線上に組み込まれており、
−前記底面上および前記上面上に、前記透明板の前記接触ストリップの両側に沿って、ストリップがそれに平行して走っていることを特徴とする、請求項７に記載の装置。
【請求項９】
４つ全ての側壁が透明材料からつくられていることを特徴とする、請求項８に記載の装置。
【請求項１０】
前記透明板に取り付けられた前記支持装置が、浮いている前記錯視を生じる棚として構築され、その前記棚部材がそれらの前面を前記透明板の２つの反対側に、前記板に取り付けられたそれらの面が同一になるように固定されていて、かつ、前記棚部材上に、前記透明板の平面に平行して走るストリップがあることを特徴とする、上記請求項のいずれか１項に記載の装置。
【請求項１１】
前記透明板に取り付けられた前記支持装置が、浮いている前記錯視を生じる棒として構築され、部材を含む前記棒がそれらの前面を前記透明板の２つの反対側に、前記板に取り付けられたそれらの面が同一になるように固定されていて、かつ、前記棒部材上に、前記透明板の平面に平行して走るストリップがあることを特徴とする、上記請求項のいずれか１項に記載の装置。
【請求項１２】
前記透明板の平面に平行に走る前記ストリップが溝によって形成されていることを特徴とする請求項１０または１１に記載の装置。
【請求項１３】
前記支持装置が、前記透明板に作られた前記開口部の縁部に沿って固定されたフレームであり、前記フレームが前記透明板の前記２つの側面上に互いに向かい合わせで、互いに重なり合い、かつ前記透明板の前記縁部を覆うように、位置付けられたフレーム部材によって形成され、かつ、前記透明板の前記開口部内で、前記情報伝達装置が、前記透明板の１つもしくは複数の縁部および／または前記フレームに取り付けられることを特徴とする、上記請求項のいずれか１項に記載の装置。
【請求項１４】
特に広告目的用に情報媒体を展示するための装置であって、
前記装置が前記情報伝達装置を収容するためのチャンバを有し、かつ、その内部空間を覗くことを可能にする方法で構築され、前記チャンバの壁の上に、情報伝達装置に取り付けられた透明板があり、前記情報伝達装置および／または前記情報伝達装置のための支持装置は、前記透明板の各２つの反対側に位置する少なくとも２つの物体から作られ、かつ前記透明板の垂直方向から見えるそれらの投影は、同一かまたは基本的に同一であり、かつ前記チャンバの全ての壁は透明材料から作成され、かつ前記透明板は、ある角度で前記チャンバを通って走っており、前記チャンバの低い方の角から対角に走り、前記反対側にある前記チャンバの高い方の角へと繋がっていて、前記物体は、前記透明板の２つの反対側に互いに反対に位置する棚材からなる棚によって作られた透明板が取り付けられている物体から成り、かつ前記透明板を固定するために、前記チャンバの側壁に形成された前記溝の結果として現れる前記接触ストリップに比較して横方向に、形成された横ストリップがあり、かつその横ストリップが前記接触ストリップと同じ外観をもち、少なくとも前記横ストリップの場合、それは前記棚の側面に形成されたかかるストリップと同じ線に収まることを特徴とする装置。
【請求項１５】
前記棚が広告された収容グッズから構成されていることを特徴とする請求項１４に記載の装置。
【請求項１６】
前記側面のストリップが接触ストリップと垂直または平行であることを特徴とする請求項１４または１５に記載の装置。
【請求項１７】
前記チャンバ内に互いに並行に配置されかつ少し離して、１つ以上の情報伝達装置が配置されている複数の透明板があることを特徴とする請求項１〜４のいずれか１項に記載の装置。
【請求項１８】
前記チャンバの内部表面上に前記透明板の前記接触ストリップに平行した前記ストリップが、前記チャンバ内部に互いに適合するフレーム要素と接続するストリップとして構成されていることを特徴とする請求項１〜５のいずれか１項に記載の装置。
【請求項１９】
前記フレーム要素が透明板に固定されていることを特徴とする請求項１８に記載の装置。